(57)【要約】【課題】  撮像した静止画像や動画像を記録媒体に記録する画像処理装置において、録画一時停止時にはビデオライトやＬＣＤを消灯して電池の消耗を防ぎ、録画一時停止解除時にはビデオライトやＬＣＤを点灯後、動作が安定してから録画を再開することにより最良の画像が得られる画像処理装置を提供する。【解決手段】  録画一時停止時にビデオライトやＬＣＤを消灯し、録画一時停止解除時にビデオライトやＬＣＤを点灯後、動作が安定してから録画を再開する点灯停止モードを設ける事を特徴とする。【選択図】        図１
2006121162.tif 000002
【特許請求の範囲】
【請求項１】
撮像した静止画像及び或いは動画像を記録媒体に記録する画像処理装置であって、撮像手段と、記録手段と、制御手段と、ライト点灯手段と、前記記録手段への記録を一時的に停止する記録一時停止手段とを有し、前記記録手段へ記録中、前記ライト点灯手段で点灯している時に、前記記録一時停止手段で記録の一時停止の指示がなされた時には、前記ライト点灯手段の点灯を停止することを特徴とする画像処理装置。
【請求項２】
撮像した静止画像及び或いは動画像を記録媒体に記録する画像処理装置であって、撮像手段と、記録手段と、制御手段と、ライト点灯手段と、表示手段と、前記記録手段への記録を一時的に停止する記録一時停止手段とを有し、前記記録手段へ記録中、前記ライト点灯手段で点灯し、前記表示手段に前記撮像手段で撮像している画像を表示している時に、前記記録一時停止手段で記録の一時停止の指示がなされた時には、前記ライト点灯手段の点灯を停止しかつ前記表示手段の表示を停止することを特徴とする画像処理装置。
【請求項３】
撮像した静止画像及び或いは動画像を記録媒体に記録する画像処理装置であって、撮像手段と、記録手段と、制御手段と、ライト点灯手段と、電力供給手段と、前記記録手段への記録を一時的に停止する記録一時停止手段とを有し、前記記録手段へ記録中、前記ライト点灯手段で点灯している時に、前記記録一時停止手段で記録の一時停止の指示がなされた時には、前記電力供給手段の残容量がある閾値以上の時は、前記ライト点灯手段の点灯を継続し、前記電力供給手段の残容量がある閾値以下の時は、前記ライト点灯手段の点灯を停止することを特徴とする画像処理装置。
【請求項４】
撮像した静止画像及び或いは動画像を記録媒体に記録する画像処理装置であって、撮像手段と、記録手段と、制御手段と、ライト点灯手段と、表示手段と、電力供給手段と、前記記録手段への記録を一時的に停止する記録一時停止手段とを有し、前記記録手段へ記録中、前記ライト点灯手段で点灯し、前記表示手段に前記撮像手段で撮像している画像を表示している時に、前記記録一時停止手段で記録の一時停止の指示がなされた時には、前記電力供給手段の残容量が第１の閾値以上の時は、前記ライト点灯手段の点灯を継続しかつ前記表示手段の表示を継続し、前記電力供給手段の残容量が第１の閾値以下第２の閾値以上の時は、前記ライト点灯手段の点灯を停止しかつ前記表示手段の表示を継続し、前記電力供給手段の残容量が第２の閾値以下の時は、前記ライト点灯手段の点灯を停止しかつ前記表示手段の表示を停止することを特徴とする画像処理装置。
【請求項５】
撮像した静止画像及び或いは動画像を記録媒体に記録する画像処理装置であって、撮像手段と、記録手段と、制御手段と、ライト点灯手段と、前記記録手段への記録を一時的に停止する記録一時停止手段とを有し、前記記録一時停止手段で記録の一時停止の指示がなされて、前記ライト点灯手段の点灯を停止している時に、前記記録一時停止手段で記録の一時停止の解除がなされた時には、前記ライト点灯手段の点灯を開始し、ある一定時間後に記録を再開することを特徴とする請求項１または３記載の画像処理装置。
【請求項６】
撮像した静止画像及び或いは動画像を記録媒体に記録する画像処理装置であって、撮像手段と、記録手段と、制御手段と、ライト点灯手段と、表示手段と、前記記録手段への記録を一時的に停止する記録一時停止手段とを有し、前記記録一時停止手段で記録の一時停止の指示がなされて、前記ライト点灯手段の点灯を停止かつ或いは前記表示手段の表示を停止している時に、前記記録一時停止手段で記録の一時停止の解除がなされた時には、前記ライト点灯手段の点灯を開始かつ或いは前記表示手段の表示を開始し、ある一定時間後に記録を再開することを特徴とする請求項２または４記載の画像処理装置。
【発明の詳細な説明】
【技術分野】
【０００１】
本発明は、静止画像や動画像を撮像、記録、再生する画像処理装置に関する。
【背景技術】
【０００２】
従来、固体メモリ素子を有するメモリカードや磁気テープを記録媒体として、静止画像や動画像を記録再生する電子カメラ、カムコーダー等の画像処理装置は既に市販されている。
【０００３】
これらの電子カメラ、カムコーダーによれば、使用者が撮影中に一時停止の指示を行うと、静止画像や動画像の撮影、記録を一時的に停止することができる。この時、ストロボライトを使用している場合は、ストロボライトは点灯したままの状態になっている。また、ＥＶＦやＬＣＤ等の表示手段は撮像している画像を表示したままの状態になっている。
【０００４】
また、ストロボライトを使用して撮影する場合、ストロボライトの明るさが安定するまで少し時間がかかっている。
【特許文献１】特開２００２−２６２２１７号公報
【発明の開示】
【発明が解決しようとする課題】
【０００５】
このような従来の電子カメラ、カムコーダー等の画像処理装置においては、使用者が撮影中に一時停止の指示をした時に、ストロボライトが点灯したままの状態であったり、ＥＶＦやＬＣＤ等の表示手段が表示したままの状態であったりするため、撮影していないにも関わらず電池を消耗するという問題点があった。
【０００６】
また、ストロボライトを使用して撮影する場合、ストロボライトの明るさが安定するまで少し時間がかかるため、ストロボライト点灯後すぐに撮影しても、規定の明るさにまで達せず、暗い画像になってしまうという問題点があった。
【０００７】
本発明は、上述の問題点に着目してなされたものであって、使用者が撮影中に一時停止の指示をした時に、ストロボライトが点灯したままの状態であったり、ＥＶＦやＬＣＤ等の表示手段が表示したままの状態であったりするため、撮影していないにも関わらず電池を消耗するという問題点のない画像処理装置を提供することを目的とする。
【０００８】
また、ストロボライトを使用して撮影する場合、ストロボライトの明るさが安定するまで少し時間がかかるため、ストロボライト点灯後すぐに撮影しても、規定の明るさにまで達せず、暗い画像になってしまうという問題点のない画像処理装置を提供することを目的とする。
【課題を解決するための手段】
【０００９】
本発明に係る画像処理装置に於いては、第１に、撮像した静止画像及び或いは動画像を記録媒体に記録する画像処理装置であって、撮像手段と、記録手段と、制御手段と、ライト点灯手段と、前記記録手段への記録を一時的に停止する記録一時停止手段とを有し、前記記録手段へ記録中、前記ライト点灯手段で点灯している時に、前記記録一時停止手段で記録の一時停止の指示がなされた時には、前記ライト点灯手段の点灯を停止することを特徴とする。
【００１０】
第２に、撮像した静止画像及び或いは動画像を記録媒体に記録する画像処理装置であって、撮像手段と、記録手段と、制御手段と、ライト点灯手段と、表示手段と、前記記録手段への記録を一時的に停止する記録一時停止手段とを有し、前記記録手段へ記録中、前記ライト点灯手段で点灯し、前記表示手段に前記撮像手段で撮像している画像を表示している時に、前記記録一時停止手段で記録の一時停止の指示がなされた時には、前記ライト点灯手段の点灯を停止しかつ前記表示手段の表示を停止することを特徴とする。
【００１１】
第３に、撮像した静止画像及び或いは動画像を記録媒体に記録する画像処理装置であって、撮像手段と、記録手段と、制御手段と、ライト点灯手段と、電力供給手段と、前記記録手段への記録を一時的に停止する記録一時停止手段とを有し、前記記録手段へ記録中、前記ライト点灯手段で点灯している時に、前記記録一時停止手段で記録の一時停止の指示がなされた時には、前記電力供給手段の残容量がある閾値以上の時は、前記ライト点灯手段の点灯を継続し、前記電力供給手段の残容量がある閾値以下の時は、前記ライト点灯手段の点灯を停止することを特徴とする。
【００１２】
第４に、撮像した静止画像及び或いは動画像を記録媒体に記録する画像処理装置であって、撮像手段と、記録手段と、制御手段と、ライト点灯手段と、表示手段と、電力供給手段と、前記記録手段への記録を一時的に停止する記録一時停止手段とを有し、前記記録手段へ記録中、前記ライト点灯手段で点灯し、前記表示手段に前記撮像手段で撮像している画像を表示している時に、前記記録一時停止手段で記録の一時停止の指示がなされた時には、前記電力供給手段の残容量が第１の閾値以上の時は、前記ライト点灯手段の点灯を継続しかつ前記表示手段の表示を継続し、前記電力供給手段の残容量が第１の閾値以下第２の閾値以上の時は、前記ライト点灯手段の点灯を停止しかつ前記表示手段の表示を継続し、前記電力供給手段の残容量が第２の閾値以下の時は、前記ライト点灯手段の点灯を停止しかつ前記表示手段の表示を停止することを特徴とする。
【００１３】
第５に、撮像した静止画像及び或いは動画像を記録媒体に記録する画像処理装置であって、撮像手段と、記録手段と、制御手段と、ライト点灯手段と、前記記録手段への記録を一時的に停止する記録一時停止手段とを有し、前記記録一時停止手段で記録の一時停止の指示がなされて、前記ライト点灯手段の点灯を停止している時に、前記記録一時停止手段で記録の一時停止の解除がなされた時には、前記ライト点灯手段の点灯を開始し、ある一定時間後に記録を再開することを特徴とする。
【００１４】
第６に、撮像した静止画像及び或いは動画像を記録媒体に記録する画像処理装置であって、撮像手段と、記録手段と、制御手段と、ライト点灯手段と、表示手段と、前記記録手段への記録を一時的に停止する記録一時停止手段とを有し、前記記録一時停止手段で記録の一時停止の指示がなされて、前記ライト点灯手段の点灯を停止かつ或いは前記表示手段の表示を停止している時に、前記記録一時停止手段で記録の一時停止の解除がなされた時には、前記ライト点灯手段の点灯を開始かつ或いは前記表示手段の表示を開始し、ある一定時間後に記録を再開することを特徴とする。
【発明の効果】
【００１５】
本発明によれば、第１に、撮像した静止画像及び或いは動画像を記録媒体に記録する画像処理装置であって、撮像手段と、記録手段と、制御手段と、ライト点灯手段と、前記記録手段への記録を一時的に停止する記録一時停止手段とを有し、前記記録手段へ記録中、前記ライト点灯手段で点灯している時に、前記記録一時停止手段で記録の一時停止の指示がなされた時には、前記ライト点灯手段の点灯を停止することを特徴とする画像処理装置を提供することが可能となる。
【００１６】
第２に、撮像した静止画像及び或いは動画像を記録媒体に記録する画像処理装置であって、撮像手段と、記録手段と、制御手段と、ライト点灯手段と、表示手段と、前記記録手段への記録を一時的に停止する記録一時停止手段とを有し、前記記録手段へ記録中、前記ライト点灯手段で点灯し、前記表示手段に前記撮像手段で撮像している画像を表示している時に、前記記録一時停止手段で記録の一時停止の指示がなされた時には、前記ライト点灯手段の点灯を停止しかつ前記表示手段の表示を停止することを特徴とする画像処理装置を提供することが可能となる。
【００１７】
第３に、撮像した静止画像及び或いは動画像を記録媒体に記録する画像処理装置であって、撮像手段と、記録手段と、制御手段と、ライト点灯手段と、電力供給手段と、前記記録手段への記録を一時的に停止する記録一時停止手段とを有し、前記記録手段へ記録中、前記ライト点灯手段で点灯している時に、前記記録一時停止手段で記録の一時停止の指示がなされた時には、前記電力供給手段の残容量がある閾値以上の時は、前記ライト点灯手段の点灯を継続し、前記電力供給手段の残容量がある閾値以下の時は、前記ライト点灯手段の点灯を停止することを特徴とする画像処理装置を提供することが可能となる。
【００１８】
第４に、撮像した静止画像及び或いは動画像を記録媒体に記録する画像処理装置であって、撮像手段と、記録手段と、制御手段と、ライト点灯手段と、表示手段と、電力供給手段と、前記記録手段への記録を一時的に停止する記録一時停止手段とを有し、前記記録手段へ記録中、前記ライト点灯手段で点灯し、前記表示手段に前記撮像手段で撮像している画像を表示している時に、前記記録一時停止手段で記録の一時停止の指示がなされた時には、前記電力供給手段の残容量が第１の閾値以上の時は、前記ライト点灯手段の点灯を継続しかつ前記表示手段の表示を継続し、前記電力供給手段の残容量が第１の閾値以下第２の閾値以上の時は、前記ライト点灯手段の点灯を停止しかつ前記表示手段の表示を継続し、前記電力供給手段の残容量が第２の閾値以下の時は、前記ライト点灯手段の点灯を停止しかつ前記表示手段の表示を停止することを特徴とする画像処理装置を提供することが可能となる。
【００１９】
第５に、撮像した静止画像及び或いは動画像を記録媒体に記録する画像処理装置であって、撮像手段と、記録手段と、制御手段と、ライト点灯手段と、前記記録手段への記録を一時的に停止する記録一時停止手段とを有し、前記記録一時停止手段で記録の一時停止の指示がなされて、前記ライト点灯手段の点灯を停止している時に、前記記録一時停止手段で記録の一時停止の解除がなされた時には、前記ライト点灯手段の点灯を開始し、ある一定時間後に記録を再開することを特徴とする画像処理装置を提供することが可能となる。
【００２０】
第６に、撮像した静止画像及び或いは動画像を記録媒体に記録する画像処理装置であって、撮像手段と、記録手段と、制御手段と、ライト点灯手段と、表示手段と、前記記録手段への記録を一時的に停止する記録一時停止手段とを有し、前記記録一時停止手段で記録の一時停止の指示がなされて、前記ライト点灯手段の点灯を停止かつ或いは前記表示手段の表示を停止している時に、前記記録一時停止手段で記録の一時停止の解除がなされた時には、前記ライト点灯手段の点灯を開始かつ或いは前記表示手段の表示を開始し、ある一定時間後に記録を再開することを特徴とする画像処理装置を提供することが可能となる。
【００２１】
上記手段により、使用者が撮影中に一時停止の指示をした時に、ストロボライトが点灯したままの状態であったり、ＥＶＦやＬＣＤ等の表示手段が表示したままの状態であったりするため、撮影していないにも関わらず電池を消耗するという問題点のない画像処理装置を提供することが可能となる。
【００２２】
また、ストロボライトを使用して撮影する場合、ストロボライトの明るさが安定するまで少し時間がかかるため、ストロボライト点灯後すぐに撮影しても、規定の明るさにまで達せず、暗い画像になってしまうという問題点のない画像処理装置を提供することが可能となる。
【発明を実施するための最良の形態】
【００２３】
以下、図面を参照して本発明の実施例を説明する。
【実施例１】
【００２４】
図１は、本発明の実施例１の構成を示す図である。
【００２５】
図１において、１００は画像処理装置である。
【００２６】
１０は光学像を電気信号に変換するＣＣＤやＣＭＯＳ等の撮像素子、及び、撮像素子のアナログ信号出力をディジタル信号に変換する撮像部である。１２は信号処理部であり、撮像部１０からのデータに対して所定の画素補間処理や色変換処理を行う。１４は信号処理部１２で処理されたデータを書き込むメモリ、及び或いは、撮影した静止画像や動画像を格納するためのメモリであり、所定枚数の静止画像や所定時間の動画像を格納するのに十分な記憶量を備えている。１６はＥＶＦ、ＴＦＴ  ＬＣＤ等から成る画像表示部であり、メモリ１４に書き込まれた表示用の画像データは画像表示部１６により表示される。
【００２７】
２０は画像処理装置１００全体を制御するシステム制御回路である。
【００２８】
３０、３２、３４、３６、３８、４０及び４２は、システム制御回路２０の各種の動作指示を入力するための操作手段であり、スイッチやダイアル、タッチパネル等の単数或いは複数の組み合わせで構成される。
【００２９】
ここで、これらの操作手段の具体的な説明を行う。
【００３０】
３０はモードスイッチで、撮影モード、再生モード等に切り替え設定することができる。３２は録画スイッチで、記録媒体への記録開始を指示することができる。３４は一時停止スイッチで、記録媒体への記録を一時的に停止することができる。３６は停止スイッチで、記録媒体への記録停止を指示することができる。３８は点灯ＡＵＴＯスイッチで、撮像する被写体が暗いかどうかを自動的に判断してライト点灯部７０を点灯させるかどうかを決定するモードを設定することができる。４０は点灯停止モードスイッチで、一時停止スイッチ３４が押された時にライト点灯部７０を消灯するモードを設定することができる。４２は各種ボタンやタッチパネル等からなる操作部で、各種設定のオン、オフや各種切り替えを行うことができる。
【００３１】
４４は電源スイッチで、画像処理装置１００の電源オン、電源オフの各モードを切り替え設定することができる。また、画像処理装置１００に接続された記録媒体６０等の各種付属装置の電源オン、電源オフの設定も合わせて切り替え設定することができる。
【００３２】
５０は電池やＡＣアダプター等からなる電源手段であり、画像処理装置１００の各部に必要な電力を供給する。
【００３３】
６０はメモリカードやハードディスク、磁気テープ等の記録媒体である。６２は記録媒体６０が装着されているか否かを検知する記録媒体着脱検知手段である。
【００３４】
７０はライト点灯部で、撮像する被写体が暗い時に被写体を明るくすることができる。
【００３５】
８０は通信手段で、ＵＳＢ、ＩＥＥＥ１３９４等の各種通信機能を有する。
【００３６】
図２、図３を参照して、実施例１の動作を説明する。
【００３７】
図２及び図３は本発明の実施例の画像処理装置１００の主ルーチンのフローチャートを示す。
【００３８】
図２及び図３を用いて、画像処理装置１００の動作を説明する。
【００３９】
電池交換等の電源投入により、システム制御回路２０はフラグや制御変数等を初期化し、画像処理装置１００の各部において必要な所定の初期設定を行う（Ｓ１０１）。
【００４０】
システム制御回路２０は、電源スイッチ４４の設定位置を判断し、電源スイッチ４４が電源オフに設定されていたならば（Ｓ１０２）、各表示部の表示を終了状態に変更し、画像処理装置１００各部の不要な電源を遮断する等の所定の終了処理を行った後（Ｓ１０３）、Ｓ１０２に戻る。
【００４１】
電源スイッチ４４が電源オンに設定されていたならば（Ｓ１０２）、システム制御回路２０は、電源５０の残容量や動作状況が画像処理装置１００の動作に問題があるか否かを判断し（Ｓ１０４）、問題があるならば画像や音声により所定の警告表示を行った後に（Ｓ１０８）、Ｓ１０２に戻る。
【００４２】
電源５０に問題がないならば（Ｓ１０４）、システム制御回路２０はモードスイッチ３０の設定位置を判断し、モードスイッチ３０が撮影モードに設定されていたならば（Ｓ１０５）、Ｓ１０７に進む。
【００４３】
モードスイッチ３０がその他のモードに設定されていたならば（Ｓ１０５）、システム制御回路２０は選択されたモードに応じた処理を実行し（Ｓ１０６）、処理を終えたならばＳ１０２に戻る。
【００４４】
システム制御回路２０は、記録媒体６０が装着されているかどうかの判断、記録媒体６０に記録された画像データの管理情報の取得、そして、記録媒体６０の動作状態が画像処理装置１００の動作、特に記録媒体に対する画像データの記録再生動作に問題があるか否かの判断を行い（Ｓ１０７）、問題があるならば画像や音声により所定の警告表示を行った後に（Ｓ１０８）、Ｓ１０２に戻る。
【００４５】
記録媒体６０が装着されているかどうかの判断、記録媒体６０に記録された画像データの管理情報の取得、そして、記録媒体６０の動作状態が画像処理装置１００の動作、特に記録媒体に対する画像データの記録再生動作に問題があるか否かの判断を行った結果（Ｓ１０７）、問題がないならば、Ｓ１０９に進む。
【００４６】
システム制御回路２０は画像表示部１６を用いて画像や音声により画像処理装置１００の各種設定状態の表示を行う（Ｓ１０９）。
【００４７】
録画スイッチ３２により録画スタート指示がなされていないならば（Ｓ１２１）、Ｓ１０２に戻る。
【００４８】
録画スイッチ３２により録画スタート指示がなされていたならば（Ｓ１２１）、Ｓ１２２に進む。
【００４９】
点灯ＡＵＴＯスイッチ３８によりビデオライトＡＵＴＯモード設定がＯＮになっていないならば（Ｓ１２２）、Ｓ１２３に進み、ビデオライトＡＵＴＯ  ＯＦＦモードで録画を行う。
【００５０】
点灯ＡＵＴＯスイッチ３８によりビデオライトＡＵＴＯモード設定がＯＮになっているならば（Ｓ１２２）、Ｓ１２４に進む。
【００５１】
撮像する被写体が暗くないと判断したときは（Ｓ１２４）、Ｓ１２６に進み、ビデオライトを点灯しない通常録画を行う。
【００５２】
撮像する被写体が暗いと判断したときは（Ｓ１２４）、Ｓ１２５に進み、ビデオライトを点灯する。
【００５３】
点灯停止モードスイッチ４０により点灯停止モード設定がＯＮになっていないならば（Ｓ１２７）、Ｓ１２８に進み、通常点灯モードで録画を行う。
【００５４】
点灯停止モードスイッチ４０により点灯停止モード設定がＯＮになっているならば（Ｓ１２７）、Ｓ１２９に進む。
【００５５】
一時停止スイッチ３４により一時停止指示がなされていないならば（Ｓ１２９）、Ｓ１３１に進み、ビデオライトを点灯したまま通常録画を行う。
【００５６】
一時停止スイッチ３４により一時停止指示がなされていたならば（Ｓ１２９）、Ｓ１３０に進み、ビデオライトを消灯する。
【００５７】
その後、録画スイッチ３２がＯＮである間中、一時停止スイッチがＯＮであるかＯＦＦであるかをチェックしてビデオライトの点灯／消灯の判断を行う。
【実施例２】
【００５８】
図４は、本発明の実施例２の画像処理装置１００の主ルーチンのフローチャートの一部を示す。図４に至るまでのフローは第１の実施例の図２と同じである。
【００５９】
実施例１の図１と画像処理装置１００の構成は同じである。
【００６０】
録画スイッチ３２により録画スタート指示がなされていないならば（Ｓ２０１）、Ｓ１０２に戻る。
【００６１】
録画スイッチ３２により録画スタート指示がなされていたならば（Ｓ２０１）、Ｓ２０２に進む。
【００６２】
点灯ＡＵＴＯスイッチ３８によりビデオライトＡＵＴＯモード設定がＯＮになっていないならば（Ｓ２０２）、Ｓ２０３に進み、ビデオライトＡＵＴＯ  ＯＦＦモードで録画を行う。
【００６３】
点灯ＡＵＴＯスイッチ３８によりビデオライトＡＵＴＯモード設定がＯＮになっているならば（Ｓ２０２）、Ｓ２０４に進む。
【００６４】
撮像する被写体が暗くないと判断したときは（Ｓ２０４）、Ｓ２０６に進み、ビデオライトを点灯しない通常録画を行う。
【００６５】
撮像する被写体が暗いと判断したときは（Ｓ２０４）、Ｓ２０５に進み、ビデオライトを点灯する。
【００６６】
点灯停止モードスイッチ４０により点灯停止モード設定がＯＮになっていないならば（Ｓ２０７）、Ｓ２０８に進み、通常点灯モードで録画を行う。
【００６７】
点灯停止モードスイッチ４０により点灯停止モード設定がＯＮになっているならば（Ｓ２０７）、Ｓ２０９に進む。
【００６８】
一時停止スイッチ３４により一時停止指示がなされていないならば（Ｓ２０９）、Ｓ２１２に進み、ビデオライトを点灯したまま通常録画を行う。
【００６９】
一時停止スイッチ３４により一時停止指示がなされていたならば（Ｓ２０９）、Ｓ２１０に進む。
【００７０】
電源５０の残容量ＶＢがＶＬ以上であったならば（Ｓ２１０）、電源５０の残容量ＶＢがビデオライトを消灯しなくてもよい充分な容量であると判断し、Ｓ２１２に進み、ビデオライトを点灯したまま通常録画を行う。
【００７１】
電源５０の残容量ＶＢがＶＬ未満であったならば（Ｓ２１０）、電源５０の残容量ＶＢがビデオライトを消灯しなければならない容量であると判断し、Ｓ２１１に進み、ビデオライトを消灯する。
【００７２】
その後、録画スイッチ３２がＯＮである間中、一時停止スイッチがＯＮであるかＯＦＦであるかをチェックしてビデオライトの点灯／消灯の判断を行う。
【実施例３】
【００７３】
図５は、本発明の実施例３の画像処理装置１００の主ルーチンのフローチャートの一部を示す。図５に至るまでのフローは実施例１の図２と同じである。
【００７４】
実施例１の図１と画像処理装置１００の構成は同じである。
【００７５】
録画スイッチ３２により録画スタート指示がなされていないならば（Ｓ３０１）、Ｓ１０２に戻る。
【００７６】
録画スイッチ３２により録画スタート指示がなされていたならば（Ｓ３０１）、Ｓ３０２に進む。
【００７７】
点灯ＡＵＴＯスイッチ３８によりビデオライトＡＵＴＯモード設定がＯＮになっていないならば（Ｓ３０２）、Ｓ３０３に進み、ビデオライトＡＵＴＯ  ＯＦＦモードで録画を行う。
【００７８】
点灯ＡＵＴＯスイッチ３８によりビデオライトＡＵＴＯモード設定がＯＮになっているならば（Ｓ３０２）、Ｓ３０４に進む。
【００７９】
撮像する被写体が暗くないと判断したときは（Ｓ３０４）、Ｓ３０６に進み、ビデオライトを点灯しない通常録画を行う。
【００８０】
撮像する被写体が暗いと判断したときは（Ｓ３０４）、Ｓ３０５に進み、ビデオライトを点灯する。
【００８１】
点灯停止モードスイッチ４０により点灯停止モード設定がＯＮになっていないならば（Ｓ３０７）、Ｓ３０８に進み、通常点灯モードで録画を行う。
【００８２】
点灯停止モードスイッチ４０により点灯停止モード設定がＯＮになっているならば（Ｓ３０７）、Ｓ３０９に進む。
【００８３】
一時停止スイッチ３４により一時停止指示がなされていないならば（Ｓ３０９）、Ｓ３１１に進み、ビデオライトを点灯したまま通常録画を行う。
【００８４】
一時停止スイッチ３４により一時停止指示がなされていたならば（Ｓ３０９）、Ｓ３１０に進み、ビデオライトを消灯する。
【００８５】
一時停止スイッチ３４により一時停止指示が継続されていたならば（Ｓ３１２）、Ｓ３１６に進み、録画スイッチ３２の状態を見る。
【００８６】
録画スイッチ３２により録画指示が継続されていたならば（Ｓ３１６）、一時停止スイッチ３４の状態を見る。
【００８７】
録画スイッチ３２により録画指示が終了されていたならば（Ｓ３１６）、Ｓ１０２に戻る。
【００８８】
一時停止スイッチ３４により一時停止指示が終了されていたならば（Ｓ３１２）、Ｓ３１３に進み、ビデオライトを点灯する。
【００８９】
ビデオライトを点灯した後、明るさが安定するまで一定時間経過した後に（Ｓ３１４）、録画を再開する（Ｓ３１５）。
【図面の簡単な説明】
【００９０】
【図１】本発明の一実施例の構成ブロック図である。
【図２】本発明の一実施例の主ルーチンのフローチャートの一部である。
【図３】本発明の一実施例の主ルーチンのフローチャートの一部である。
【図４】本発明の一実施例の主ルーチンのフローチャートの一部である。
【図５】本発明の一実施例の主ルーチンのフローチャートの一部である。
【符号の説明】
【００９１】
１０  撮像部
１２  信号処理部
１４  メモリ
１６  画像表示部
２０  システム制御回路
３０  モードスイッチ
３２  録画スイッチ
３４  一時停止スイッチ
３６  停止スイッチ
３８  点灯ＡＵＴＯスイッチ
４０  点灯停止モードスイッチ
４２  操作部
４４  電源スイッチ
５０  電源
６０  記録媒体
６２  記録媒体着脱検知
７０  ライト点灯部
８０  通信手段
１００  画像処理装置
【図１】
2006121162.tif 000003
【図２】
2006121162.tif 000004
【図３】
2006121162.tif 000005
【図４】
2006121162.tif 000006
【図５】
2006121162.tif 000007